(57)【要約】【課題】無線送信機から、映像データをブロック分割してサブキャリアに割り当ててマルチキャリア通信により無線伝送された無線信号を、無線受信機で受信し表示機器へ渡してその表示機器で映像表示を行う表示システムにおいて、無線送信機と無線受信機との設置位置を調整する際に、一部のサブキャリアのみで通信状況が悪い状態であることや全てのサブキャリアで通信状況が問題の無いレベルにあることを、ユーザ等に容易に確認させる。【解決手段】無線受信機３は、無線信号をサブキャリア毎に復調する復調部と、復調結果からサブキャリア毎の受信強度を検出する受信強度検出部と、検出されたサブキャリア毎の受信強度から受信強度の最小値又は最小値及び平均値を算出し、表示機器４へ出力する算出部とを有する。表示機器４は、算出部で出力された最小値又は最小値及び平均値を含む受信状態確認画像をＯＳＤ表示する制御を行う確認画像表示制御部を有する。【選択図】図１
2010098377.tif 000002
【特許請求の範囲】
【請求項１】
無線送信機からマルチキャリア通信により送信された無線信号を受信する無線受信機と、該無線受信機に有線で接続された表示機器とを備えた表示システムであって、
前記無線信号は、前記無線送信機により、前記非圧縮映像データをブロック分割して、ブロック単位でサブキャリアを割り当てて送信された信号であり、
前記無線受信機は、受信した前記無線信号を前記サブキャリア毎に復調する復調部と、該復調部での復調結果から前記サブキャリア毎の受信強度を検出する受信強度検出部と、該受信強度検出部で検出されたサブキャリア毎の受信強度から受信強度の最小値又は最小値及び平均値を算出し、前記表示機器へ出力する算出部とを有し、
前記表示機器は、前記算出部で出力された前記最小値又は前記最小値及び前記平均値を含む受信状態確認画像をＯＳＤ表示する制御を行う確認画像表示制御部を有することを特徴とする表示システム。
【請求項２】
前記無線信号は、前記無線送信機により、前記非圧縮映像データをブロック分割して、ブロック単位で且つ各ブロック内のデータの重要度に応じてサブキャリアを割り当てて送信された信号であることを特徴とする請求項１に記載の表示システム。
【請求項３】
前記算出部は、全本数のサブキャリアを一通り復調するための所要期間以上の所定期間で前記復調部が復調したサブキャリア全てについて、前記受信強度検出部で検出された受信強度の最小値又は最小値及び平均値を算出し、前記表示機器へ出力することを特徴とする請求項１又は２に記載の表示システム。
【請求項４】
前記受信状態確認画像は、前記算出部で出力される前記最小値についての目標値である最小目標値を含む画像、又は、前記算出部で出力される前記平均値についての目標値である平均目標値と前記算出部で出力される前記最小値についての目標値であって該平均目標値より小さい最小目標値とを含む画像であることを特徴とする請求項１〜３のいずれか１項に記載の表示システム。
【請求項５】
前記確認画像表示制御部は、（１）前記最小値が前記最小目標値を下回ったときに、又は、（２）前記平均値が前記平均目標値を下回るか若しくは前記最小値が前記最小目標値を下回ったときに、
（Ａ）前記受信状態確認画像を表示中の場合には、前記受信状態確認画像内に下回ったことを示す警告文をＯＳＤ表示する制御を行い、
（Ｂ）前記受信状態確認画像を表示中でない場合には、（Ｂａ）前記警告文を含む前記受信状態確認画像をＯＳＤ表示する制御を行うか、若しくは（Ｂｂ）前記受信状態確認画像とは異なる前記警告文を含む画像をＯＳＤ表示する制御を行うことを特徴とする請求項４に記載の表示システム。
【請求項６】
前記表示機器は、（Ｉ）前記算出部で出力される前記最小値についての目標値である最小目標値が設定されているか、又は、（ＩＩ）前記算出部で出力される前記平均値についての目標値である平均目標値と、前記算出部で出力される前記最小値についての目標値であって該平均目標値より小さい最小目標値とが設定されており、
前記表示機器は、
（１）前記最小値が前記最小目標値を下回ったときに、又は、（２）前記平均値が前記平均目標値を下回るか若しくは前記最小値が前記最小目標値を下回ったときに、
下回ったことを示す警告文を含む画像であって前記受信状態確認画像とは異なる画像を、ＯＳＤ表示する警告表示制御部を有することを特徴とする請求項１〜３のいずれか１項に記載の表示システム。
【請求項７】
前記無線送信機と、該無線送信機に有線で接続されたデジタル放送受信機とを備え、該デジタル放送受信機は、ＯＳＤ画像データを生成するＯＳＤ生成部を有し、該ＯＳＤ生成部で生成されたＯＳＤ画像データを前記無線送信機に出力し、
前記無線送信機は、前記デジタル放送受信機から受信したＯＳＤ画像データを送信対象の前記非圧縮映像データとして前記無線信号を送信し、
前記表示機器は、前記無線信号として前記無線受信機を経由して受信した前記ＯＳＤ画像データが示すＯＳＤ画像が前記表示機器に表示された状態で、前記確認画像表示制御部が該ＯＳＤ画像に前記受信状態確認画像を重畳してＯＳＤ表示する制御を行うことを特徴とする請求項１〜６のいずれか１項に記載の表示システム。
【請求項８】
前記無線送信機と、該無線送信機に有線で接続されたデジタル放送受信機とを備え、該デジタル放送受信機は、アンテナから受信したデジタル放送信号を復調する放送復調部と、該放送復調部で復調されたデジタル放送信号の映像データを前記無線送信機に出力する映像出力部と、前記放送復調部での復調結果から前記デジタル放送信号の受信強度を検出する放送受信強度検出部と、該放送受信強度検出部で検出された受信強度の一定期間での平均値である放送受信平均値を算出し、前記無線送信機に出力する放送受信値算出部とを有し、
前記無線送信機は、前記映像出力部で出力された映像データを前記無線信号で送信すると共に、前記放送受信値算出部で出力された前記放送受信平均値も送信対象として無線で送信し、
前記表示機器は、（Ｉ）前記算出部で出力される前記最小値についての目標値である最小目標値と、前記放送受信値算出部で出力される前記放送受信平均値についての目標値である放送平均目標値とが設定されているか、又は、（ＩＩ）前記算出部で出力される前記平均値についての目標値である平均目標値と、前記算出部で出力される前記最小値についての目標値であって該平均目標値より小さい最小目標値と、前記放送平均目標値とが設定されており、
前記表示機器は、（１）前記最小値が前記最小目標値を下回るか若しくは前記無線受信機を経由して受信した前記放送受信平均値が前記放送平均目標値を下回ったときに、又は、（２）前記平均値が前記平均目標値を下回るか若しくは前記最小値が前記最小目標値を下回るか若しくは前記無線受信機を経由して受信した前記放送受信平均値が前記放送平均目標値を下回ったときに、
（Ａ）前記受信状態確認画像を表示中の場合には、前記受信状態確認画像内に下回ったことを示す警告文をＯＳＤ表示する制御を行い、
（Ｂ）前記受信状態確認画像を表示中でない場合には、（Ｂａ）前記警告文を含む前記受信状態確認画像をＯＳＤ表示する制御を行うか、若しくは（Ｂｂ）前記受信状態確認画像とは異なる前記警告文を含む画像をＯＳＤ表示する制御を行い、前記警告文は、前記デジタル放送受信機での受信状態の劣化であるのか前記無線受信機での受信状態の劣化であるのかを示す情報を含むことを特徴とする請求項１〜３のいずれか１項に記載の表示システム。
【請求項９】
前記無線送信機と、該無線送信機に有線で接続されたデジタル放送受信機とを備え、該デジタル放送受信機は、アンテナから受信したデジタル放送信号を復調する放送復調部と、該放送復調部で復調されたデジタル放送信号の映像データを前記無線送信機に出力する映像出力部と、前記放送復調部での復調結果から前記デジタル放送信号の受信強度を検出する放送受信強度検出部と、該放送受信強度検出部で検出された受信強度の一定期間での平均値である放送受信平均値を算出し、前記無線送信機に出力する放送受信値算出部とを有し、
前記無線送信機は、前記映像出力部で出力された映像データを前記無線信号で送信すると共に、前記放送受信値算出部で出力された前記放送受信平均値も送信対象として無線で送信し、
前記表示機器は、（Ｉ）前記算出部で出力される前記最小値についての目標値である最小目標値と、前記放送受信値算出部で出力される前記放送受信平均値についての目標値である放送平均目標値とが設定されているか、又は、（ＩＩ）前記算出部で出力される前記平均値についての目標値である平均目標値と、前記算出部で出力される前記最小値についての目標値であって該平均目標値より小さい最小目標値と、前記放送平均目標値とが設定されており、
前記表示機器は、
（１）前記最小値が前記最小目標値を下回るか若しくは前記無線受信機を経由して受信した前記放送受信平均値が前記放送平均目標値を下回ったときに、又は、（２）前記平均値が前記平均目標値を下回るか若しくは前記最小値が前記最小目標値を下回るか若しくは前記無線受信機を経由して受信した前記放送受信平均値が前記放送平均目標値を下回ったときに、
下回ったことを示す警告文を含む画像であって前記受信状態確認画像とは異なる画像を、ＯＳＤ表示する警告表示制御部を有し、
前記警告文は、前記デジタル放送受信機での受信状態の劣化であるのか前記無線受信機での受信状態の劣化であるのかを示す情報を含むことを特徴とする請求項１〜３のいずれか１項に記載の表示システム。
【請求項１０】
前記無線送信機は、前記デジタル放送受信機に接続される代わりに前記デジタル放送受信機に内蔵されることを特徴とする請求項７〜９のいずれか１項に記載の表示システム。
【請求項１１】
前記無線受信機は、前記表示機器に接続される代わりに前記表示機器に内蔵されることを特徴とする請求項１〜１０のいずれか１項に記載の表示システム。
【請求項１２】
前記算出部は、算出した前記最小値又は前記最小値及び前記平均値を、所定値で正規化してから出力するか、若しくは、前記表示機器は、前記算出部で出力された前記最小値又は前記平均値及び前記を所定値で正規化してから表示時に用いることを特徴とする請求項１〜１１のいずれか１項に記載の表示システム。
【請求項１３】
前記算出部は、前記無線受信機ではなく前記表示機器側に設けられ、
前記受信強度検出部は、検出したサブキャリア毎の受信強度を前記表示機器に出力し、
前記表示機器に設けられた前記算出部は、前記受信強度検出部から出力されたサブキャリア毎の受信強度から受信強度の最小値又は最小値及び平均値を算出し、前記確認画像表示制御部に渡すことを特徴とする請求項１〜１２のいずれか１項に記載の表示システム。
【請求項１４】
無線送信機からマルチキャリア通信により送信された無線信号を受信する無線受信機と、該無線受信機に有線で接続された表示機器とを備えた表示システムにおける表示方法であって、
前記無線信号は、前記無線送信機により、前記非圧縮映像データをブロック分割して、ブロック単位でサブキャリアを割り当てて送信された信号であり、
前記無線受信機が、受信した前記無線信号を前記サブキャリア毎に復調する復調ステップと、前記無線受信機が、前記復調ステップの復調結果から前記サブキャリア毎の受信強度を検出する受信強度検出ステップと、前記無線受信機又は前記表示機器が、前記受信強度検出ステップで検出されたサブキャリア毎の受信強度から受信強度の平均値及び最小値を算出する算出ステップと、前記表示機器が、前記最小値又は前記最小値及び前記平均値を含む受信状態確認画像をＯＳＤ表示するステップとを含むことを特徴とする表示方法。
【発明の詳細な説明】
【技術分野】
【０００１】
本発明は、表示システム及び表示方法に関し、より詳細には、無線通信の受信強度を表示する表示システム及び表示方法に関する。
【背景技術】
【０００２】
近年、テレビ装置の薄型化が進んでいる。これに伴い、テレビ装置をディスプレイ部（モニター）と外部接続端子を接続する端子ボックス部とに分離して、部屋内、同一家屋内において配置し、ディスプレイ部と端子ボックス部間で映像・音声等を無線で伝送させる技術を搭載した製品が現れている。ここで、端子ボックス部としては、例えばチューナ機器やＳＴＢ（Set Top Box）などが挙げられる。このような構成により、配線の接続に制限されない設置を実現することができる。
【０００３】
端子ボックス部とディスプレイ部と間での無線伝送は、それぞれに接続した送信機と受信機との配置により通信状況が変わる。そして、通信状況が良好でないと映像の品質が悪くなるため、ユーザ又はサービスマンが映像品質が良い設置位置を検討するために、一般にディスプレイ部において受信状態を表示する機能が必要となる。
【０００４】
デジタル放送の受信においても、受信できない、映像が乱れるなどの受信障害を起こすことがあり、このような受信障害をユーザや機器設置を行うサービスマンに把握させるための技術が提案されている（例えば、特許文献１を参照）。特許文献１には、ビット誤り率（ＢＥＲ）が測定可能な範囲ではＢＥＲ（及びＣ／Ｎ）から変換した受信レベルを表示し、測定不可能な範囲ではＣ／Ｎのみから変換した受信レベルを表示する技術が開示されている。特許文献１に記載の技術は、このような表示により正確な受信状態を把握させることが可能になっている。
【０００５】
そして、ＢＳ（Broadcasting Satellite）、ＣＳ（Communications Satellite）、地上波のデジタル放送については、受信状態として、信号の受信Ｃ／Ｎ（及びＢＥＲ）から換算するなどして得た信号強度或いは直接計測した信号強度の現在値と共に、過去の最大値を表示してユーザ等に提示し、現在の信号強度（アンテナレベル）を最大値にすることを目安にアンテナの設置位置を調整させることが行われている。最大値を目安（目標）として調整する理由は、ＢＳ，ＣＳ，地上波のデジタル放送では一度アンテナの設置位置及び方向が決まると基本的に現在値が上下変動しないので、調整中にそれまでの最大値を保持しておくことで、より高い現在値が得られる設置位置及び方向を探すことができるためである。
【０００６】
ところで、地上デジタル放送では、ＯＦＤＭ（Orthogonal Frequency Division Multiplex）等のマルチキャリア通信が採用されている。このマルチキャリア通信は、通信状態が悪いサブキャリアがあっても通信データを受信側で復元できるように、誤り訂正用データを付加し且つ付加後の通信データを各サブキャリアに分散させて行われる。このような分散により、通信状態が悪いサブキャリアが存在しても、通信データを他の通信状態が良好なサブキャリアでリカバーできるが、誤りが許容量を超えると通信データ全体が復元できなくなる。
【０００７】
このようなマルチキャリア通信は、例えば５ＧＨｚ帯の無線ＬＡＮ（Local Area Network）通信にも採用されており、上述したディスプレイ部と端子ボックス部とで分離したシステムでも採用することができる。
【０００８】
一方で、ＯＦＤＭ等のマルチキャリア通信においては、データの重要度に応じてエラー耐性を変えるＵＥＰ（Unequal Error Protection）技術も採用されている（例えば、非特許文献１を参照）。非特許文献１に記載の技術では、ＭＳＢｓ（Most Significant Bits）の重要度をＬＳＢｓ（Least Significant Bits）の重要度よりも高く、また低い空間周波数のデータの重要度を高い空間周波数のデータの重要度よりも高く、また輝度成分の重要度を色成分の重要度より高くしている。ここで、重要度とエラー耐性との関係は、重要度が高い程、高いエラー耐性の冗長度を与えている。
【０００９】
また、非特許文献１には、サブキャリアへのデータのマッピング（constellation mapping）に関して、重要な成分については粗いサブキャリアを割り当て、重要でない成分については細かなサブキャリアを割り当てることや、ノイズが多い周波数帯は重要でない成分に割り当てることも記載されている。
【特許文献１】特開２００５−６０６５号公報
【非特許文献１】ＡＭＩＭＯＮ社、“Enabling wireless uncompressed HDTV connectivity with a unique video-modem approach: A technical overview”［online］、［平成２０年１０月６日検索］、インターネット＜ＵＲＬ：http://www.amimon.com/PDF/tech_article%20final.pdf＞
【発明の開示】
【発明が解決しようとする課題】
【００１０】
端子ボックス部とディスプレイ部と間での無線伝送において、地上デジタル放送のように通信データ及びその誤り訂正用データを各サブキャリアに分散させる変調方式ではなく、非特許文献１に記載のように通信データの重要度に応じてサブキャリアを割り当てて変調する方式を採用したシステムを考察する。ここで、通信データのうち映像データについては、その重要度は上述のように輝度データか色（色差）データかによって決める以外に、重要度は映像データをブロック分割して得られる各ブロックに応じて決めることができる。つまり、上記システムは、重要度による割り当てを実行するか否かに拘わらず、映像データをブロック単位でサブキャリアに割り当てて無線伝送するように構成されているか、或いはそのように改良することができる。
【００１１】
しかしながら、上記システムの場合、無線受信機（及び無線送信機）の設置位置をユーザ等に調整させるために、従来のような最大値を目標とした調整方法を適用すると、上記システムが、人の移動により通信状況が変わりやすい同一部屋内もしくは同一屋内に無線送信機及び無線受信機を配置しているシステムであるために、主に次のような課題が生じる。
【００１２】
まず、上記システムにおいて、マルチキャリア通信に際してのエラー訂正のための冗長データを少なく設計している場合、一部のサブキャリアの通信状況が非常に悪くなることにより映像の一部の品質が許容できる以上に劣化することがあるが、現在値と最大値とを提示する方法のように検出する受信強度が一つである場合には、その状況をユーザ等に把握させることができない。
【００１３】
この課題を解決するために、仮に上記システムにおいてサブキャリア毎の受信強度を検出するように改良したとしても、上記システムが「通信状況が一部のサブキャリアのみで悪いだけで映像品質に影響を与える」システムであるため、現在値と最大値とを提示してそれらを指標にして調整させる方法では、一部のサブキャリアのみで通信状況が悪い状態であることや全てのサブキャリアで通信状況が問題の無いレベルにあることを、確認することができない。つまり、上記システムでは、現在値と最大値とでは、映像品質の劣化を回避する指標としては不十分である。
【００１４】
本発明は、上述のような実状に鑑みてなされたものであり、その目的は、無線送信機から、映像データをブロック分割してサブキャリアに割り当ててマルチキャリア通信により無線伝送された無線信号を、無線受信機で受信し表示機器へ渡してその表示機器で映像表示を行う表示システムにおいて、無線送信機と無線受信機との設置位置を調整する際に、一部のサブキャリアのみで通信状況が悪い状態であることや全てのサブキャリアで通信状況が問題の無いレベルにあることを、ユーザやサービスマンに容易に確認させることにある。
【課題を解決するための手段】
【００１５】
上述の課題を解決するために、本発明の第１の技術手段は、無線送信機からマルチキャリア通信により送信された無線信号を受信する無線受信機と、該無線受信機に有線で接続された表示機器とを備えた表示システムであって、前記無線信号は、前記無線送信機により、前記非圧縮映像データをブロック分割して、ブロック単位でサブキャリアを割り当てて送信された信号であり、前記無線受信機は、受信した前記無線信号を前記サブキャリア毎に復調する復調部と、該復調部での復調結果から前記サブキャリア毎の受信強度を検出する受信強度検出部と、該受信強度検出部で検出されたサブキャリア毎の受信強度から受信強度の最小値又は最小値及び平均値を算出し、前記表示機器へ出力する算出部とを有し、前記表示機器は、前記算出部で出力された前記最小値又は前記最小値及び前記平均値を含む受信状態確認画像をＯＳＤ表示する制御を行う確認画像表示制御部を有することを特徴としたものである。
【００１６】
第２の技術手段は、第１の技術手段において、前記無線信号は、前記無線送信機により、前記非圧縮映像データをブロック分割して、ブロック単位で且つ各ブロック内のデータの重要度に応じてサブキャリアを割り当てて送信された信号であることを特徴としたものである。
【００１７】
第３の技術手段は、第１又は第２の技術手段において、前記算出部は、全本数のサブキャリアを一通り復調するための所要期間以上の所定期間で前記復調部が復調したサブキャリア全てについて、前記受信強度検出部で検出された受信強度の最小値又は最小値及び平均値を算出し、前記表示機器へ出力することを特徴としたものである。
【００１８】
第４の技術手段は、第１〜第３のいずれかの技術手段において、前記受信状態確認画像は、前記算出部で出力される前記最小値についての目標値である最小目標値を含む画像、又は、前記算出部で出力される前記平均値についての目標値である平均目標値と前記算出部で出力される前記最小値についての目標値であって該平均目標値より小さい最小目標値とを含む画像であることを特徴としたものである。
【００１９】
第５の技術手段は、第４の技術手段において、前記確認画像表示制御部は、（１）前記最小値が前記最小目標値を下回ったときに、又は、（２）前記平均値が前記平均目標値を下回るか若しくは前記最小値が前記最小目標値を下回ったときに、（Ａ）前記受信状態確認画像を表示中の場合には、前記受信状態確認画像内に下回ったことを示す警告文をＯＳＤ表示する制御を行い、（Ｂ）前記受信状態確認画像を表示中でない場合には、（Ｂａ）前記警告文を含む前記受信状態確認画像をＯＳＤ表示する制御を行うか、若しくは（Ｂｂ）前記受信状態確認画像とは異なる前記警告文を含む画像をＯＳＤ表示する制御を行うことを特徴としたものである。
【００２０】
第６の技術手段は、第１〜第３のいずれかの技術手段において、前記表示機器は、（Ｉ）前記算出部で出力される前記最小値についての目標値である最小目標値が設定されているか、又は、（ＩＩ）前記算出部で出力される前記平均値についての目標値である平均目標値と、前記算出部で出力される前記最小値についての目標値であって該平均目標値より小さい最小目標値とが設定されており、前記表示機器は、（１）前記最小値が前記最小目標値を下回ったときに、又は、（２）前記平均値が前記平均目標値を下回るか若しくは前記最小値が前記最小目標値を下回ったときに、下回ったことを示す警告文を含む画像であって前記受信状態確認画像とは異なる画像を、ＯＳＤ表示する警告表示制御部を有することを特徴としたものである。
【００２１】
第７の技術手段は、第１〜第６のいずれかの技術手段において、前記無線送信機と、該無線送信機に有線で接続されたデジタル放送受信機とを備え、該デジタル放送受信機は、ＯＳＤ画像データを生成するＯＳＤ生成部を有し、該ＯＳＤ生成部で生成されたＯＳＤ画像データを前記無線送信機に出力し、前記無線送信機は、前記デジタル放送受信機から受信したＯＳＤ画像データを送信対象の前記非圧縮映像データとして前記無線信号を送信し、前記表示機器は、前記無線信号として前記無線受信機を経由して受信した前記ＯＳＤ画像データが示すＯＳＤ画像が前記表示機器に表示された状態で、前記確認画像表示制御部が該ＯＳＤ画像に前記受信状態確認画像を重畳してＯＳＤ表示する制御を行うことを特徴としたものである。
【００２２】
第８の技術手段は、第１〜第３のいずれかの技術手段において、前記無線送信機と、該無線送信機に有線で接続されたデジタル放送受信機とを備え、該デジタル放送受信機は、アンテナから受信したデジタル放送信号を復調する放送復調部と、該放送復調部で復調されたデジタル放送信号の映像データを前記無線送信機に出力する映像出力部と、前記放送復調部での復調結果から前記デジタル放送信号の受信強度を検出する放送受信強度検出部と、該放送受信強度検出部で検出された受信強度の一定期間での平均値である放送受信平均値を算出し、前記無線送信機に出力する放送受信値算出部とを有し、前記無線送信機は、前記映像出力部で出力された映像データを前記無線信号で送信すると共に、前記放送受信値算出部で出力された前記放送受信平均値も送信対象として無線で送信し、前記表示機器は、（Ｉ）前記算出部で出力される前記最小値についての目標値である最小目標値と、前記放送受信値算出部で出力される前記放送受信平均値についての目標値である放送平均目標値とが設定されているか、又は、（ＩＩ）前記算出部で出力される前記平均値についての目標値である平均目標値と、前記算出部で出力される前記最小値についての目標値であって該平均目標値より小さい最小目標値と、前記放送平均目標値とが設定されており、前記表示機器は、（１）前記最小値が前記最小目標値を下回るか若しくは前記無線受信機を経由して受信した前記放送受信平均値が前記放送平均目標値を下回ったときに、又は、（２）前記平均値が前記平均目標値を下回るか若しくは前記最小値が前記最小目標値を下回るか若しくは前記無線受信機を経由して受信した前記放送受信平均値が前記放送平均目標値を下回ったときに、（Ａ）前記受信状態確認画像を表示中の場合には、前記受信状態確認画像内に下回ったことを示す警告文をＯＳＤ表示する制御を行い、（Ｂ）前記受信状態確認画像を表示中でない場合には、（Ｂａ）前記警告文を含む前記受信状態確認画像をＯＳＤ表示する制御を行うか、若しくは（Ｂｂ）前記受信状態確認画像とは異なる前記警告文を含む画像をＯＳＤ表示する制御を行い、前記警告文は、前記デジタル放送受信機での受信状態の劣化であるのか前記無線受信機での受信状態の劣化であるのかを示す情報を含むことを特徴としたものである。
【００２３】
第９の技術手段は、第１〜第３のいずれかの技術手段において、前記無線送信機と、該無線送信機に有線で接続されたデジタル放送受信機とを備え、該デジタル放送受信機は、アンテナから受信したデジタル放送信号を復調する放送復調部と、該放送復調部で復調されたデジタル放送信号の映像データを前記無線送信機に出力する映像出力部と、前記放送復調部での復調結果から前記デジタル放送信号の受信強度を検出する放送受信強度検出部と、該放送受信強度検出部で検出された受信強度の一定期間での平均値である放送受信平均値を算出し、前記無線送信機に出力する放送受信値算出部とを有し、前記無線送信機は、前記映像出力部で出力された映像データを前記無線信号で送信すると共に、前記放送受信値算出部で出力された前記放送受信平均値も送信対象として無線で送信し、前記表示機器は、（Ｉ）前記算出部で出力される前記最小値についての目標値である最小目標値と、前記放送受信値算出部で出力される前記放送受信平均値についての目標値である放送平均目標値とが設定されているか、又は、（ＩＩ）前記算出部で出力される前記平均値についての目標値である平均目標値と、前記算出部で出力される前記最小値についての目標値であって該平均目標値より小さい最小目標値と、前記放送平均目標値とが設定されており、前記表示機器は、（１）前記最小値が前記最小目標値を下回るか若しくは前記無線受信機を経由して受信した前記放送受信平均値が前記放送平均目標値を下回ったときに、又は、（２）前記平均値が前記平均目標値を下回るか若しくは前記最小値が前記最小目標値を下回るか若しくは前記無線受信機を経由して受信した前記放送受信平均値が前記放送平均目標値を下回ったときに、下回ったことを示す警告文を含む画像であって前記受信状態確認画像とは異なる画像を、ＯＳＤ表示する警告表示制御部を有し、前記警告文は、前記デジタル放送受信機での受信状態の劣化であるのか前記無線受信機での受信状態の劣化であるのかを示す情報を含むことを特徴としたものである。
【００２４】
第１０の技術手段は、第７〜第９のいずれかの技術手段において、前記無線送信機は、前記デジタル放送受信機に接続される代わりに前記デジタル放送受信機に内蔵されることを特徴としたものである。
【００２５】
第１１の技術手段は、第１〜第１０のいずれかの技術手段において、前記無線受信機は、前記表示機器に接続される代わりに前記表示機器に内蔵されることを特徴としたものである。
【００２６】
第１２の技術手段は、第１〜第１１のいずれかの技術手段において、前記算出部は、算出した前記最小値又は前記最小値及び前記平均値を、所定値で正規化してから出力するか、若しくは、前記表示機器は、前記算出部で出力された前記最小値又は前記平均値及び前記を所定値で正規化してから表示時に用いることを特徴としたものである。
【００２７】
第１３の技術手段は、第１〜第１２のいずれかの技術手段において、前記算出部は、前記無線受信機ではなく前記表示機器側に設けられ、前記受信強度検出部は、検出したサブキャリア毎の受信強度を前記表示機器に出力し、前記表示機器に設けられた前記算出部は、前記受信強度検出部から出力されたサブキャリア毎の受信強度から受信強度の最小値又は最小値及び平均値を算出し、前記確認画像表示制御部に渡すことを特徴としたものである。
【００２８】
第１４の技術手段は、無線送信機からマルチキャリア通信により送信された無線信号を受信する無線受信機と、該無線受信機に有線で接続された表示機器とを備えた表示システムにおける表示方法であって、前記無線信号は、前記無線送信機により、前記非圧縮映像データをブロック分割して、ブロック単位でサブキャリアを割り当てて送信された信号であり、前記無線受信機が、受信した前記無線信号を前記サブキャリア毎に復調する復調ステップと、前記無線受信機が、前記復調ステップの復調結果から前記サブキャリア毎の受信強度を検出する受信強度検出ステップと、前記無線受信機又は前記表示機器が、前記受信強度検出ステップで検出されたサブキャリア毎の受信強度から受信強度の平均値及び最小値を算出する算出ステップと、前記表示機器が、前記最小値又は前記最小値及び前記平均値を含む受信状態確認画像をＯＳＤ表示するステップとを含むことを特徴としたものである。
【発明の効果】
【００２９】
本発明によれば、無線送信機から、映像データをブロック分割してサブキャリアに割り当ててマルチキャリア通信により無線伝送された無線信号を、無線受信機で受信し表示機器へ渡してその表示機器で映像表示を行う表示システムにおいて、無線送信機と無線受信機との設置位置を調整する際に、一部のサブキャリアのみで通信状況が悪い状態であることや全てのサブキャリアで通信状況が問題の無いレベルにあることを、ユーザやサービスマンに容易に確認させることが可能になる。
【発明を実施するための最良の形態】
【００３０】
本発明に係る表示システム（以下、本システムという）は、無線送信機から送信された無線信号を受信する無線受信機と、その無線受信機に有線で接続された表示機器とを備えるシステムである。従って、本システムを実装する場合にはこの無線送信機も含まれることになる。また、この無線送信機で送信する無線信号には、少なくとも映像データが含まれるものとし、その他、音声データや制御データなどが含まれていてもよい。この映像データ、音声データ、制御データなどは、無線送信機に格納されたデータであるか、或いは外部機器から送信されたデータである。外部機器としては、少なくとも映像データの送信が可能なＡＶ（Audio Visual）機器であればよい。また、表示機器としては、単なるモニターやテレビ装置などが挙げられる。以下、表示機器としてモニターを挙げ、外部機器としてデジタル放送受信機の一例としてのＳＴＢ（Set Top Box）を挙げて説明する。
【００３１】
図１は、本発明に係る表示システムの一構成例を示す概略図で、図中、１はＳＴＢ、２は無線送信機（以下、単に送信機という）、３は無線受信機（以下、単に受信機という）、４はモニターである。
【００３２】
図１で例示する表示システムは、ＳＴＢ１と、ＳＴＢ１にＨＤＭＩ（High-Definition Multimedia Interface）ケーブルで接続された送信機２と、送信機２からマルチキャリア通信により送信された無線信号を受信する受信機３と、受信機３にＨＤＭＩケーブルで接続されたモニター４とを備える。ここで、ＳＴＢ１と送信機２との間の通信及び受信機３とモニター４との間の通信に、ＨＤＭＩケーブルを用いて行う例を挙げて説明しているが、これに限ったものではなく、また両者の通信に共通の方式を採用しなくてもよい。さらに、受信機３は、モニター４に接続される代わりにモニター４に内蔵されてもよいし、送信機２は、ＳＴＢ１に接続される代わりにＳＴＢ１に内蔵されてもよい。
【００３３】
図２は、図１の表示システムにおけるＳＴＢの主要部の構成例を示すブロック図である。ＳＴＢ１は、映像信号（及び音声信号）を入力し処理するために、イーサネット（登録商標）処理部１０ａ、ｉ．Ｌｉｎｋ（登録商標）処理部１０ｂ、外部入力信号処理部１０ｃ、及び放送信号処理部１０ｄを備えている。
【００３４】
イーサネット（登録商標）処理部１０ａは、ＬＡＮ（Local Area Network）又はＬＡＮ及びインターネット網を経由して外部コンピュータ（サーバコンピュータも含む）から映像信号（及び音声信号）を受信する。ｉ．Ｌｉｎｋ（登録商標）処理部１０ｂは、コンピュータやビデオカメラ等の外部ＡＶ機器などに接続して映像信号（及び音声信号）を入力する。外部入力信号処理部１０ｃは、処理部１０ａ，１０ｂ以外の端子から映像信号（及び音声信号）を入力する。放送信号処理部１０ｄは、その具体例は後述するが、放送波として搬送されたデジタル放送信号をアンテナから受信する。これら処理部１０ａ〜１０ｄのうち、１つの処理部だけを具備していてもよい。但し、後述の例において、送信機２に接続されるＡＶ機器としてデジタル放送受信機を必須とする構成例においては、少なくとも放送信号処理部１０ｄが設けられる。
【００３５】
また、ＳＴＢ１は、入力切換部１１、映像信号生成部１２、主制御部１３、受信強度解析部１４、ＯＳＤ生成部１５、合成部１６、ＨＤＭＩトランスミッタ１７、ＣＥＣ（Consumer Electronics Control）制御部１８、及びＨＤＭＩ出力部１９を備える。主制御部１３は、ＳＴＢ１内の各部を直接又は間接的に制御する。
【００３６】
入力切換部１１は、処理部１０ａ〜１０ｄの中から主制御部１３からの切換指示に基づいて、映像信号生成部１２に映像信号を出力し、図示しない音声信号生成部に音声信号を出力する処理部を切り換える。このように、各処理部１０ａ〜１０ｄの出力先は入力切換部１１である。映像信号生成部１２は、入力された映像信号から表示用の映像信号（映像データ）を生成し、合成部１６へ出力する。ＯＳＤ生成部１５は、電子番組表等のＯＳＤ画像データを生成し、合成部１６へ出力する。合成部１６はこれらの映像データを合成し、ＨＤＭＩトランスミッタ１７へ出力する。受信強度解析部１４については、図８を参照して後述する他の例で必要となる部位であり、ここでは説明しない。
【００３７】
ＨＤＭＩ出力部１９は、ＨＤＭＩケーブルを接続するためのＨＤＭＩ  Ｉ／Ｆであり、ＨＤＭＩケーブルに含まれる次の各ラインと接続している。ＨＤＭＩケーブルには、機器間で共通の制御信号（ＣＥＣメッセージ）を伝送する双方向バスであるＣＥＣラインを含む。ＣＥＣプロトコルでは、送信側はデバイス種により定められた論理アドレスを宛先（送信先）として指定することで所望の機器にＣＥＣメッセージを送信することができる。また、受信側は、このＣＥＣメッセージに自身の論理アドレスが宛先として記述されていた場合（Broadcast送信などとして含まれる場合もある）に受信を行い、このＣＥＣメッセージに記述された送信元の論理アドレスによって送信側を認識することが可能になっている。
【００３８】
また、ＨＤＭＩケーブルには、ＣＥＣラインの他に、デジタル信号である映像・音声信号のストリームを差動方式で伝送するためのＴＭＤＳ（Transition Minimized Differential Signaling）ラインや、ＥＤＩＤ（Extended Display Identification Data）の送信等に利用されるＤＤＣ（Display Data Channel）ラインなどが含まれる。このＥＤＩＤには、表示機器（この例ではモニター４）が処理可能な信号の種類についての情報や、表示パネルの解像度などの情報、ピクセルクロック、水平有効期間、垂直有効期間などの情報が含まれる。ＥＤＩＤを映像表示側（この例ではモニター４）から映像送信側（この例ではＳＴＢ１）が取得し、使用する表示パネル（この例ではモニター４の表示パネル）の解像度に合わせた映像（ビデオ）データを伝送することが可能になっている。
【００３９】
ＨＤＭＩトランスミッタ１７は、合成部１６から受け取った映像データ（非圧縮のデジタルデータ）と音声信号生成部から受け取った音声データを、ＨＤＭＩ出力部１９を介してＨＤＭＩケーブルのＴＭＤＳラインで伝送する。ＣＥＣ制御部１８は、主制御部１３からの指示に基づき、ＣＥＣメッセージを生成し、ＨＤＭＩ出力部１９を介してＣＥＣラインでそのＣＥＣメッセージを送信することが可能になっている。また、ＣＥＣ制御部１８は、ＨＤＭＩ出力部１９からＣＥＣメッセージを受信し、受信したＣＥＣメッセージに対してＡＣＫビットや応答（Response）を返したり、そのＣＥＣメッセージが示す指示（例えば放送信号処理部１０ｄにおけるチャンネル切換操作の指示）を主制御部１３に伝えることも可能になっている。
【００４０】
図３は、図１の表示システムにおける送信機の主要部の構成例を示すブロック図である。送信機２は、ＨＤＭＩ入力部２０、ＨＤＭＩレシーバ２１、ＨＤＭＩ信号変換部２３、データ分解部２４、デジタル変調部２５、及びアナログ変調部２６を備え、これらにより、ＳＴＢ１から受信した映像・音声データを無線伝送することが可能になっている。また、送信機２は、ＨＤＭＩ入力部２０、デジタル変調部２５、及びアナログ変調部２６の他に、ＣＥＣ制御部２２を備え、これらによりＳＴＢ１から受信したＣＥＣメッセージを示す情報を無線伝送することが可能になっている。
【００４１】
ＨＤＭＩ入力部２０は、ＨＤＭＩ出力部１９と同様に、ＨＤＭＩケーブルを接続するためのＨＤＭＩ  Ｉ／Ｆである。ＣＥＣ制御部２２は、ＨＤＭＩ入力部２０を介してＣＥＣメッセージを受信して、それを解釈して制御データとしてデータ分解部２４に出力する。ＨＤＭＩレシーバ２１は、ＨＤＭＩ入力部２０を介して非圧縮のデジタル映像・音声データ（ＨＤＭＩ信号）を受信して、ＨＤＭＩ信号変換部２３へ出力する。
【００４２】
ＨＤＭＩ信号変換部２３は、受信した映像・音声データを、音声データ、映像の主成分のデータ（例えばＭＳＢｓ等）、及び映像の細部のデータ（例えばＬＳＢｓ等）に分解可能なような内部データ形式に変換する。データ分解部２４は、その内部データ形式のデータを、音声データと映像の主成分のデータと映像の細部のデータとに分解する。データ分解部２４はさらに、分解した各データとＣＥＣ制御部２２からのＣＥＣメッセージを示す情報（制御データ）とに、予め定められたルールに従って変調方法を割り当てる。
【００４３】
ここで変調方法の割り当てとは、サブキャリアの割り当てやエラー耐性の冗長度の設定などを意味する。サブキャリアへ割り当てるブロックとしては、例えば１又は複数のマクロブロックのデータを１本のサブキャリアに割り当てることができる。色データと輝度データとで異なるサブキャリアに割り当ててもよい。
【００４４】
また、変調方法の割り当てとしては、ＭＳＢｓやＬＳＢｓを挙げたように、重要度に応じた割り当てを適用することもできる。つまり、送信機２は、映像データをブロック分割して、ブロック単位で且つ各ブロック内のデータの重要度に応じてサブキャリアを割り当てた無線信号を送信してもよい。例えば、重要度が高いデータについて、実際の無線通信の結果から得た通信状態の良いサブキャリア或いは予め決めたサブキャリア（例えば粗いサブキャリア）を割り当てることが好ましい。また、重要度に応じて必要な品質の冗長度で割り当てることが好ましい。つまり、重要度が高い程、エラー耐性の冗長度を長く（つまりエラー耐性を高く）するとよい。なお、例えば制御データの重要度を最も高く、音声データの重要度を次に高くして、映像データの重要度は最も低くすればよい。また、映像データの中でも重要度を区別させるとよい。また、実際の通信状態を得て、通信状態が悪くなると重要度の低いデータの伝送を削っていってもよい。また、変調方法の割り当てに関しては、非特許文献１に記載された他のルールを適宜利用してもよい。
【００４５】
デジタル変調部２５は、データ分解部２４から入力された各データを、データ分解部２４で割り当てられたサブキャリア及び設定されたエラー耐性の冗長度で変調することで、デジタル信号波形に変換する。アナログ変調部２６は、そのデジタル信号波形を５ＧＨｚ帯のアナログの電波に変換して、無線信号として送信する。なお、無線ＬＡＮと同じ５ＧＨｚ帯を用いて無線通信を行い、ＳＴＢ１とモニター４とを同一部屋内や同一家屋内などで無線接続する例を挙げているが、周波数帯はこれに限ったものではない。
【００４６】
このように、送信機２から伝送される無線信号は、送信機２により、少なくとも非圧縮デジタル映像データを（空間的に）ブロック分割して、ブロック単位（誤り訂正データも含む）でサブキャリアを割り当てて送信された信号である。
【００４７】
また、送信機２は、ＨＤＭＩ入力部２０及びＣＥＣ制御部２２の他に、デジタル復調部２７及びアナログ復調部２８を備え、これらにより受信機３から無線伝送されたＣＥＣメッセージを示す情報を受信してＳＴＢ１へＣＥＣメッセージとして伝送することが可能になっている。アナログ電波として受信機３から送信された制御データの無線信号を無線アンテナで受信して、アナログ復調部２８でアナログ復調し、デジタル復調部２７でデジタル復調して、ＣＥＣ制御部２２に渡す。復調の手順は基本的に変調の手順の逆である。ＣＥＣ制御部２２は、デジタル復調された制御データからＣＥＣメッセージを抽出（制御データをＣＥＣメッセージに変換）し、そのＣＥＣメッセージをＳＴＢ１に対してＣＥＣラインで送信する。
【００４８】
図４は、図１の表示システムにおける受信機の主要部の構成例を示すブロック図である。受信機３は、アナログ復調部３０、デジタル復調部３１、データ合成部３２、ＨＤＭＩ信号復元部３３、ＨＤＭＩトランスミッタ３４、及びＨＤＭＩ出力部３５を備え、これらにより送信機２から無線信号として無線伝送された映像・音声データを受信してモニター４へＨＤＭＩケーブルで送信することが可能になっている。
【００４９】
アナログ復調部３０は、アナログ電波として送信機２から送信されたデータの無線信号を無線アンテナで受信して、アナログ復調する。デジタル復調部３１は、アナログ復調されたデータをデジタル復調して、データ合成部３２に渡す。復調の手順は基本的に変調の手順の逆である。より具体的には、アナログ復調部３０が５ＧＨｚ帯のアナログ信号をデジタル復調部３１が扱える信号に変換し、デジタル復調部３１が、その信号波形をデジタル値に変換し、データを復元する。このように、アナログ復調部３０及びデジタル復調部３１は、受信した無線信号をサブキャリア毎に復調する復調部の一例である。
【００５０】
データ合成部３２は、復調されたデータのうち映像データ（送信機２の例では主成分のデータ及び細部のデータ）を内部データ形式の映像データに合成し、音声データと共にＨＤＭＩ信号復元部３３に出力する。ＨＤＭＩ信号復元部３３は、データ合成部３２から受け取った映像・音声データをその内部データ形式からＨＤＭＩ信号の形式に変換し、ＨＤＭＩトランスミッタ３４に渡す。ＨＤＭＩトランスミッタ３４は、ＨＤＭＩ信号復元部３３から受け取った非圧縮の映像データ・音声データ（ＨＤＭＩ信号）を、ＨＤＭＩ出力部３５を介してＨＤＭＩケーブルのＴＭＤＳラインで伝送する。ＨＤＭＩ出力部３５は、ＨＤＭＩ出力部１９と同様に、ＨＤＭＩケーブルを接続するためのＨＤＭＩ  Ｉ／Ｆである。このように、受信機３は、送信機２から送信された無線信号を復調して映像・音声データをモニター４へ伝送することが可能となっている。
【００５１】
また、受信機３はＣＥＣ制御部３７を備える。受信機３のデータ合成部３２は、送信機２から無線信号として無線伝送され、受信、アナログ復調、デジタル復調された制御データをＣＥＣ制御部３７へ渡す。ＣＥＣ制御部３７は、データ合成部３２を経由してデジタル復調部３１（直接、デジタル復調部３１から受け取る構成でもよい）から受け取った制御データからＣＥＣメッセージを抽出し、モニター４へＨＤＭＩ出力部３５を介してＣＥＣラインで伝送する。ＣＥＣ制御部３７は、データ合成部３２から受け取った制御データからＣＥＣメッセージを抽出（制御データをＣＥＣメッセージに変換）し、そのＣＥＣメッセージをモニター４に対してＨＤＭＩ出力部３５を介してＣＥＣラインで送信する。
【００５２】
受信強度解析部３６は、次の受信強度検出部及び算出部を有する。受信強度検出部は、アナログ復調部３０及びデジタル復調部３１（主にデジタル復調部３１。以下同様）でのサブキャリア毎の復調結果から、サブキャリア毎の受信強度を検出する。ここで、受信強度としては、受信信号の各サブキャリアのＳＮＲ（Signal-to-Noise Ratio）を計算する。但し、サブキャリア毎の受信強度を、そのサブキャリアの受信Ｃ／Ｎ（及びＢＥＲ）から換算するなどして得てもよい。
【００５３】
算出部は、受信強度検出部で検出されたサブキャリア毎の受信強度から受信強度の最小値（又は最小値及び平均値）を算出し、ＣＥＣ制御部３７へ渡す。このように、算出部は、各サブキャリアに対応して、データが正しく復調されるかを判定する数値指標である受信強度の最小値（又は最小値及び平均値）を同時に複数取得する。これらの値は、最終的にモニター４へ出力される。より具体的には、算出部が算出した受信強度の最小値（又は最小値及び平均値）をＣＥＣ制御部３７へ渡し、ＣＥＣ制御部３７がこのＣＥＣメッセージに変換してＨＤＭＩ出力部３５を介してモニター４に出力する。このように、ＣＥＣ制御部３７は、受信強度のＣＥＣメッセージを生成する受信強度ＣＥＣメッセージ生成部としても機能している。
【００５４】
ここで、平均値（現在値として表示される）は、全てのサブキャリアの通信品質の平均値であり、最小値は、最も通信状況の悪いサブキャリアの通信品質の値である。なお、同時に最も通信状況の良いサブキャリアの通信品質の値である最大値も算出してモニター４へ出力してもよく、この場合、特に後述しないがモニター４で最大値も併せて表示させることができる。
【００５５】
また、算出部は、全本数のサブキャリアを一通り復調するための所要期間以上の所定期間でアナログ復調部３０及びデジタル復調部３１が復調したサブキャリア全てについて、受信強度検出部で検出された受信強度の最小値（又は平均値及び最小値）を算出することが好ましい。
【００５６】
また、受信機３は、ＨＤＭＩ出力部３５及びＣＥＣ制御部３７の他に、デジタル変調部３９及びアナログ変調部３８を備える。ＣＥＣ制御部３７は、ＨＤＭＩ出力部３５を介してモニター４から伝送されたＣＥＣメッセージを受信して、送信機２へそのＣＥＣメッセージを示す情報（制御データ）に変換し、デジタル変調部３９に渡す。デジタル変調部３９は、この制御データをデジタル復調し、アナログ変調部３８はデジタル復調後の制御データをアナログ変調し、無線信号として無線アンテナで伝送する。
【００５７】
ここで、図３及び図４で説明した送信機２及び受信機３でのＣＥＣメッセージを示す情報の無線伝送について、補足する。ＣＥＣ規格では応答時間が制限されているＣＥＣメッセージがあり、ＣＥＣメッセージを遅延無く伝える必要がある。そのため、送信機２が、無線伝送路及び受信機３を挟んだ対側にあるＣＥＣ対応機器（この例ではモニター４で、論理アドレス０）として振る舞うような動作を、送信機２のＣＥＣ制御部２２にプリセットしておくとよい。同様に、受信機３が無線伝送路及び送信機２を挟んだ対側にあるＣＥＣ対応機器（この例ではＳＴＢ１で、論理アドレス３，６，７，１０のいずれか）として振る舞うような動作を、受信機３のＣＥＣ制御部３７にプリセットしておくとよい。このような偽装を行うことで、無線伝送路で区分けされる２つのＣＥＣネットワークが構築でき、無線伝送路を介しても各ＣＥＣネットワーク間で破綻するような遅延が生じ難くなる。
【００５８】
図５は、図１の表示システムにおけるモニターの主要部の構成例を示すブロック図で、図６は、図５のモニターにおいて表示される受信状態確認画像の一例を示す図である。モニター４は、ＨＤＭＩ入力部４０、ＨＤＭＩレシーバ４１、映像処理部４３、受光部４４、主制御部４５、ＯＳＤ生成部４６、合成部４７、表示制御部４８、及び表示パネル４９を備える。主制御部４５は、モニター４内の各部を直接又は間接的に制御する。受光部４４はリモコン５からの操作信号を受光し、主制御部４５に渡す。
【００５９】
ＨＤＭＩ入力部４０は、ＨＤＭＩ入力部２０と同様に、ＨＤＭＩケーブルを接続するためのＨＤＭＩ  Ｉ／Ｆである。ＣＥＣ制御部４２は、例えば電源ＯＮ時や受光部４４でユーザ操作の操作信号を受け付けたときなど、主制御部４５からの指示を受け、その指示に合うＣＥＣメッセージを生成して、そのＣＥＣメッセージをＨＤＭＩ入力部４０を介してＣＥＣラインで受信機３へ伝送することも可能になっている。このＣＥＣメッセージを受けた受信機３は、上述したようにこのＣＥＣメッセージを送信機２を経由してＳＴＢ１へ伝えることが可能になっている。
【００６０】
ＨＤＭＩレシーバ４１は、受信機３からＨＤＭＩ入力部４０を介して非圧縮のデジタル映像・音声データ（ＨＤＭＩ信号）を受信して、映像データを映像処理部４３へ出力し、音声データを音声処理部（図示せず）へ出力する。音声処理部は、音声データに対して各種音声処理を施してスピーカ（図示せず）へ出力し、スピーカがその音声を出力する。
【００６１】
また、ＣＥＣ制御部４２は、受信機３からＨＤＭＩ入力部４０を介してＣＥＣメッセージを受信して、それを解釈して制御データとして主制御部４５に出力する。このようにして主制御部４５に出力される制御データには、受信機３における算出部で出力された各サブキャリアの最小値（又は最小値及び平均値）も含まれる。モニター４は、この最小値（又は最小値及び平均値）を含む受信状態確認画像をＯＳＤ表示する制御を行う確認画像表示制御部を有する。この確認画像表示制御部は、主制御部４５、ＯＳＤ生成部４６、合成部４７、及び表示制御部４８で例示できる。
【００６２】
確認画像表示制御部は、例えばユーザ等がリモコン５や本体操作部（図示せず）から受信状態を確認するための操作を行ったときに機能し、主制御部４５がＣＥＣ制御部４２及びＨＤＭＩ入力部４０を制御して受信機３側に、受信強度の検出を要求して、主制御部４５がその応答として最小値（又は最小値及び平均値）をＨＤＭＩ入力部４０及びＣＥＣ制御部４２を経由して受け取るようにすればよい。若しくは、受信機３が定期的に検出を実行するか常に検出を実行するようにしておき、且つ、確認画像表示制御部が、その検出結果を記憶しておき（過去の検出結果は適宜破棄すればよい）、上述のような受信状態を確認するためのユーザ操作を受け取ったときに、それを読み出すようにしてもよい。
【００６３】
主制御部４５は、このようにして受け取った或いは読み出した最小値（又は最小値及び平均値）を、ＯＳＤ生成部４６に渡す。ＯＳＤ生成部４６は、予め内部メモリに格納されている受信状態確認画像の元データ（背景データ等）にこの最小値（又は最小値及び平均値）を組み込んで表示する受信状態確認画像データを生成し、合成部４７へ出力する。合成部４７は、映像処理部４３から出力された映像データ（無しの場合もある）にこの受信状態確認画像データを重畳して表示制御部４８に出力する。表示制御部４８は、この重畳されたデータを表示パネル４９に表示させる制御を行い、これにより最小値（又は最小値及び平均値）を組み込んだ受信状態確認画像が表示パネル４９に表示される。
【００６４】
なお、上述した構成及び後述する各例においては、算出部が受信機３側にあることを前提に説明しているが、算出部をモニター４側に設けておき、モニター４が受信機３からサブキャリア毎の受信強度を得て、算出してもよい。
【００６５】
また、上述の受信状態確認画像は、図６の受信状態確認画像６０で例示できる。受信状態確認画像６０は、接続状態の情報６１、受信強度の最小値（又は平均値）を示すインジケータ６２、最小値６３（この例では最小値が５５である）、及び平均値（現在値）６４（この例では平均値が６０である）を含む。また、受信状態確認画像６０には図示するように送信機２に関する情報６５及び受信機３に関する情報も含めることが好ましい。これらの情報もＣＥＣメッセージやそれを示す情報として得ることができる。
【００６６】
接続状態の情報６１は、受信機３から最小値（又は最小値及び平均値）を受け取れたか否かなどの情報に基づき、予め定められ内部メモリに格納されたルール表から、表示させる接続状態の文章を選択することにより、表示させることができる。例えば、図示するように「正常です」などと表示されたときにはユーザは正しく動作していることが確認できる。また、「相手機器を検出中です」などと表示したときには、ユーザは受信機３が送信機２と接続を試みている状態であることが確認できる。また、「ワイヤレス接続できません」などと表示されたときには、ユーザは、受信機３が送信機２と接続できなかったことが確認できる。また、「映像信号が入力されていません」などと表示されるときには、ＳＴＢ１の電源が入っていないか、送信機２のＨＤＭＩケーブルが抜けている状態であることを、ユーザが確認することができる。また、「ワイヤレスユニットなし」などと表示されたときには、受信機３がモニター４に接続されていない状態であることを、ユーザが確認することができる。また、インジケータ６２では、最小値のもののみ図示しているが、平均値用のインジケータも表示してもよい。
【００６７】
また、最小値６３（この例では最小値が５５である）、及び平均値（現在値）６４（この例では平均値が６０である）に関し、実際に算出されたものを正規化して表示させることが好ましい。このため、受信機３の算出部が、算出した受信強度（例えばＳＮＲ）の最小値又は平均値及び最小値を所定値で正規化してから出力するようにするとよい。若しくは、モニター４が、受信機３から受け取った受信強度（例えばＳＮＲ）の最小値又は平均値及び最小値を所定値で正規化してから、その正規化した値を表示時に用いるようにしてもよい。このような正規化は、例えばユーザにとって感覚的に「６０」という値が合格のイメージが強かった場合には、通信が安定している平均ＳＮＲ（製品仕様に合致した実験値）が「２０」であったとすると、最小値（又は平均値及び最小値）を３倍するように実行すればよい。
【００６８】
以上、説明したように、上述した構成の表示システムでは、送信機２と受信機３との設置位置を調整する際に、一部のサブキャリアのみで通信状況が悪い状態であることや全てのサブキャリアで通信状況が問題の無いレベルにあることを、サブキャリアの受信強度の最小値という指標（映像の一部の品質が劣化し得る可能性を示す指標）で、つユーザやサービスマンに容易に確認させることができる。ユーザやサービスマンは、この最小値の指標を見て、最小値が映像品質に問題の無いレベルにあるか否かを判断しながら、良好な映像品質の得られる設置位置に調整することが可能となる。また、従来のデータをサブキャリアに分散させるマルチキャリア通信方式では平均値（現在値）が基準を満たしていればエラー訂正の効果で必要な品質が得られるが、ブロック単位でサブキャリアに割り当てるマルチキャリア通信方式では、人が視聴する上で満足する画質が得られない。これに対し、本発明では最小値に満たすべき基準を設けておくことで、人が視聴する上で満足する画質を得ることができる。
【００６９】
また、通信状態が悪くなると、重要度の低いデータの伝送を削っていく方式を採用した場合にも、少なくとも削ってしまうほど重要度の低いデータ以外のデータについての最小値が表示されることになるため、同様の効果が得られる。また、送信機２において重要度に応じてエラー耐性の高低を分けた送信を行った場合には、表示させる最小値は、エラー耐性の低いデータについて最低限受信できているかを示す値に該当し、エラー耐性の低いデータを感度良く受信できていれば（つまり最小値が目標値より高ければ）全体の画質もよいと判断できる。また、送信機２においてブロックのデータの重要度に応じてサブキャリアを割り当てた送信を行った場合には、最小値がより低くても、或る程度の映像品質を保つことができ、低い目標値（目標値については後述する）を採用することができる。
【００７０】
また、例示したように、平均値も併せて表示させることで、ユーザやサービスマンが、平均値が十分にあるにも関わらず最小値が低いことで映像品質が劣化した場合などにも設置位置をマニュアルを見るなどしながら調整することができる。
【００７１】
また、上述した受信状態確認画像６０は、算出部で出力される平均値についての目標値である平均目標値と、算出部で出力される最小値についての目標値であって平均目標値より小さい最小目標値とを含む画像であることが好ましい。例えば、最小目標値と平均目標値とを設定・保存しておき、それらを読み出して、受信状態確認画像６０の最小値６３の近隣に最小目標値を表示させ、現在値６４の近隣に平均目標値を表示させるとよい。また、上述のように最小目標値と平均目標値とは異なる値をとる。平均値の算出及び出力を行わない例を適用する場合には、最小目標値は、単に算出部で出力される最小値についての目標値として定義できる（後述する他の例でも同様）。
【００７２】
以下に説明する各例では、説明の簡略化のため、算出部が最小値と平均値とを双方算出し出力することを前提に説明するが、最小値のみでも同様に説明できる（以下の説明において受信機３での平均値に関する部分を除外すればよい）。
【００７３】
以上の例では、最小値及び平均値を受信状態確認画像６０で表示することを説明した。それ以外にも、送信機２と受信機３との無線通信では間に障害物を設置したために通信状態が悪くなることがある。従って、受信状態を確認するためのユーザ操作の有無に拘わらず、受信状態が悪くなったときに警告することが好ましい。このような警告が可能な例について、図７を参照して説明する。図７は、図５のモニターにおいて表示される警告用のポップアップ画像の一例を示す図である。
【００７４】
ここで説明する例では、上述の確認画像表示制御部は、平均値が平均目標値を下回るか或いは最小値が最小目標値を下回ったときに、（１）受信状態確認画像６０を表示中の場合には、受信状態確認画像６０内に下回ったことを示す警告文をＯＳＤ表示する制御を行い、（２）受信状態確認画像６０を表示中でない場合には、（２ａ）警告文を含む受信状態確認画像６０をＯＳＤ表示する制御を行うか、或いは（２ｂ）受信状態確認画像６０とは異なる警告文を含む画像（例えば図７の画面７０中のポップアップ画像７１）をＯＳＤ表示する制御を行うとよい。上記（１），（２ａ），（２ｂ）のような場合分けにより、重複表示を避けることができる。また、最小目標値を下回ったときのみ、このような警告を行ってもよい。各目標値を下回るかの判断は、主制御部４５が行えばよい。ＯＳＤ表示自体の方法は上述した通りであり、予め内部メモリに格納した画像と警告文とから表示用のＯＳＤ画像データを生成して出力すればよい。
【００７５】
警告文は、受信状態の情報を示しているとも言える。この警告文としては、上記（２ｂ）の場合、ポップアップ画像７１に示すように「ワイヤレスユニットの受信レベルが低いです」などを採用すればよい。上記（１），（２ａ）の場合には図６の受信状態確認画像６０における「正常です」の代わりに又は近くに、この警告文を記載してもよい。このような表示により、ユーザ等は、送信機２と受信機３との通信状態が悪くなっていることが把握できるため、設置位置の調整を受信状態確認画像６０を表示していないときはそれを表示させるなどして、実行することができる。
【００７６】
また、この警告文や他の種類の受信状態情報も、受信機３から受け取った最小値及び平均値に基づき、予め定められ内部メモリに格納されたルール表から、表示させる受信状態の文章を選択することにより、表示させることができる。この受信状態の文章は、接続状態の情報６１として、若しくは情報６１と同時に表示させればよい。
【００７７】
他の種類の情報としては、例えば、最小値及び平均値が得られなかった場合などには、「ワイヤレス接続を試みています  しばらくお待ちください」と表示すればよい。このような表示により、ユーザ等は、受信機３が送信機２に接続を試みている状態であることが把握できる。また、最小値及び平均値が得られず、且つ他の情報も併せて判断を行い、接続できなかった場合には、「ワイヤレス接続出来ません」と表示すればよい。また、同様に他の情報も併せて判断を行い、電源がきちんと供給されていないときには、「ワイヤレスユニットの電源を入れなおしてください」などと表示すればよい。
【００７８】
また、このような警告文や他の種類の情報の表示は、受信状態確認画像６０に最小目標値や平均目標値の表示を行うことが不能な構成である場合にも、適用することができる。つまり、モニター４に、平均目標値と最小目標値とを設定しておき、モニター４に、各目標値を下回ったときに警告文を含む画像を表示パネル４９に表示させる警告表示制御部を備えておけばよい。この警告表示制御部は、各目標値との判定を行う主制御部４５、ＯＳＤ生成部４６、合成部４７、及び表示制御部４８などで例示できる。ＯＳＤ生成部４６は、その判定結果に対応する画像（下回ったことを示す警告文を含む画像であって、受信状態確認画像６０とは異なる画像）を予め内部メモリに格納しておき、平均値が平均目標値を下回るか或いは最小値が最小目標値を下回ったと判定されたときに、その画像を読み出して合成部４７に出力する。その画像（例えば図７のポップアップ画像７１）は、合成部４７で合成され、表示制御部４８からの制御により表示パネル４９に表示させることができる。
【００７９】
また、図６の受信状態確認画像６０やそれに各目標値や警告文を載せる方法やポップアップ画像７１として警告文を載せる方法について説明したが、ＳＴＢ１側の情報（例えば放送の受信状態の情報）も併せて表示するように構成してもよい。
【００８０】
このような構成について、図８を参照して説明する。図８は、図５のモニターにおいて表示される受信状態確認画像の他の例を示す図である。まず、ＳＴＢ１側の情報をモニター４が得るために、ＳＴＢ１でその情報を供給する必要がある。この情報として、ＳＴＢ１での放送の受信状態の情報である場合に限って説明する。放送の受信状態の情報をモニター４で表示させるためには、ＳＴＢ１で例示しているように送信機２に有線で接続されているＡＶ機器は、デジタル放送受信機と呼べる機器、或いはそれを含む機器である必要がある。
【００８１】
ＳＴＢ１の放送信号処理部１０ｄは、放送復調部、映像出力部などを備える。放送信号処理部１０ｄは、放送波として搬送されたデジタル放送信号をアンテナから受信し、放送復調部でその信号を復調し、復調されたデジタル放送信号を分離して映像出力部が映像データを送信機２へ送信する。分離によって得られた音声データも送信機２へ送信するとよい。映像・音声データ以外のデータは、必要に応じて送信機２へ送信すればよいし、ＳＴＢ１内で使用する場合、例えば番組データであれば、ＯＳＤ生成部１５で電子番組表を構成してから、送信機２へ送信すればよい。映像・音声・制御データの送信についてはＨＤＭＩトランスミッタ１７又はＣＥＣ制御部１８やＨＤＭＩ出力部１９で説明した通りである。
【００８２】
そして、ＳＴＢ１は、上述したように受信強度解析部１４を備える。受信強度解析部１４は、放送復調部での復調結果からデジタル放送信号の受信強度を検出する放送受信強度検出部と、放送受信強度検出部で検出された受信強度の一定期間での平均値である放送受信平均値を算出し、送信機２に出力する放送受信値算出部とを有する。算出は、放送受信平均値だけでなく、一定期間での受信強度の最小値である放送受信最小値や、最大値である放送受信最大値を含んでもよく、以下では、放送受信平均値と放送受信最大値とを算出して出力する例を挙げて説明する。なお、ここで説明する例以外の放送受信状態の表示が必要な後述する例でも同様に放送受信平均値と放送受信最大値とを算出することを前提に説明する。
【００８３】
送信機２への出力はＣＥＣメッセージで行う。より具体的には、受信強度解析部１４は、解析結果である放送受信平均値及び放送受信最大値をＣＥＣ制御部１８に出力し、ＣＥＣ制御部１８は、その放送受信平均値及び放送受信最大値をＣＥＣメッセージに変換して、ＨＤＭＩ出力部１９を介してＣＥＣラインで送信機２に出力する。送信機２は、映像データを受信して受信機３に無線信号で送信すると共に、放送受信値算出部で出力された放送受信平均値及び放送受信最大値を示すＣＥＣメッセージを受信して、それを制御データに変換し、受信機３に無線信号で送信する。この制御データは、受信機３で受信され、ＣＥＣメッセージに変換されて、モニター４にＣＥＣラインで送信される。
【００８４】
このようにして、モニター４は、放送受信平均値及び放送受信最大値を得ることができる。また、モニター４は、平均目標値及び最小目標値の他に、放送受信値算出部で出力される放送受信平均値についての目標値である放送平均目標値が設定されているものとする。
【００８５】
さらに、モニター４は、平均値が平均目標値を下回るか、或いは最小値が最小目標値を下回るか、或いは放送受信平均値が放送平均目標値を下回ったときに、（３）受信状態確認画像を表示中の場合には、受信状態確認画像内に下回ったことを示す警告文をＯＳＤ表示する制御を行い、（４）受信状態確認画像を表示中でない場合には、（４ａ）警告文を含む受信状態確認画像をＯＳＤ表示する制御を行うか、或いは（４ｂ）受信状態確認画像とは異なる警告文を含む画像をＯＳＤ表示する制御を行う。上記（３），（４ａ），（４ｂ）のような場合分けにより、重複表示を避けることができる。各目標値を下回るかの判断は、主制御部４５が行えばよい。ＯＳＤ表示自体の方法は上述した通りであり、予め内部メモリに格納した画像と警告文とから表示用のＯＳＤ画像データを生成して出力すればよい。
【００８６】
ここで表示させる警告文は、デジタル放送受信機（この例ではＳＴＢ１）での受信状態の劣化であるのか、受信機３での受信状態の劣化であるのかを示す情報を含むものとする。これにより、ユーザ等が、無線信号で送信された映像データの受信状態が、無線通信が要因となって劣化しているのか、或いは放送の受信が要因となって劣化しているのかを判断することができる。
【００８７】
図８の受信状態確認画像８０は、図６の受信状態確認画像６０に対応する画像８１（図６の符号６１〜６６が図８の符号８１ａ〜８１ｆに対応）に、放送に関する受信状態の情報８２を加えたものである。この放送受信状態の情報８２には、例えば受信状態の判定結果を文章（受信状態が悪い場合には上述の警告文になる）で示す情報８２ａ、受信強度の放送受信平均値（現在値）を示すインジケータ８２ｂ、放送受信最大値８２ｃ（この例では放送受信最大値が９５である）、及び放送受信平均値（現在値）８２ｄ（この例では放送受信平均値が９５である）を含む。
【００８８】
上記（３）の制御により、受信状態確認画像６０から受信状態の情報８２を加えて受信状態確認画像８０とし、且つその接続状態の情報８１ａ又は受信状態の情報８２ａを警告文に変えるとよい。また、上記（４ａ）の制御により、受信状態確認画像８０の接続状態の情報８１ａ又は受信状態の情報８２ａが警告文に変わったような受信状態確認画像を表示すればよい。また、上記（４ｂ）の制御により、図７で例示したようなポップアップ画像で、警告内容に合った警告文を表示するとよい。
【００８９】
また、このような放送受信又は無線通信に関する警告の警告文の表示は、全ての場面において重複を気にせずに図７で例示したようなポップアップ画像で行ってもよい。つまり、次の警告表示制御部をモニター４が具備しておいてもよい。この警告表示制御部は、上記（３）のように受信状態確認画像を表示中の場合でも、上記（４ａ），（４ｂ）のように受信状態確認画像を表示中でない場合でも、受信状態確認画像とは異なる、下回ったことを示す警告文を含む画像を、表示パネル４９にＯＳＤ表示させる。この例でも、警告文に、ＳＴＢ１での放送受信状態の劣化であるのか受信機３での受信状態の劣化であるのかを示す情報を含むものとする。
【００９０】
次に、図５のモニターにおいて表示される受信状態確認画像の他の例として、ＳＴＢ１側の情報がＳＴＢ１での放送の受信状態の情報でなくても適用できる例を説明する。
【００９１】
まず、ＳＴＢ１が、ＯＳＤ生成部１５で例示したように、何らかのＯＳＤ画像データを生成することが可能なＯＳＤ生成部を有することを前提とする。そして、ＳＴＢ１は、ＯＳＤ生成部１５で生成されたＯＳＤ画像データを送信機２に出力する（送信し続ける）。送信機２は、ＳＴＢ１から受信したＯＳＤ画像データを送信対象の非圧縮映像データとして無線伝送し、受信機３はこの映像データ（ＯＳＤ画像の映像データ）を受信する。このようなＯＳＤ画像データのやり取りができることも前提とする。
【００９２】
そして、モニター４は、無線信号として受信機３を経由して受信したＯＳＤ画像データが示すＯＳＤ画像が映像処理部４３を経由してモニター４に表示された状態で、確認画像表示制御部（主にＯＳＤ生成部４６）がそのＯＳＤ画像に受信状態確認画像を重畳してＯＳＤ表示する制御を行う。実際、受信状態確認画像の表示操作がなされたときに、モニター４からＳＴＢ１に対してＯＳＤ画像を送るようにＣＥＣメッセージ（無線区間ではそれを示す情報も含む）で指示すればよい。
【００９３】
このように、受信状態確認画像を表示させる際に、ＳＴＢ１で生成したＯＳＤ画像（つまり、放送受信による劣化などの心配が全くない画像）を合わせて表示させることにより、ユーザ等は、実際に無線通信により受け取った画像を最小値等と併せて見ながら、且つこの画像が無線通信によりのみ品質が変わる画像であることを考慮しながら、受信機３（及び送信機２）の設置位置を調整することができる。
【００９４】
ここで説明した例は、ＳＴＢ１の情報もモニター４で表示させる他の例とは異なり、デジタル放送受信機という範疇にない他のＡＶ機器であっても適用することができる。
【００９５】
一方で、ＳＴＢ１のようにＡＶ機器としてデジタル放送受信機を採用する場合には、ＳＴＢ１は、受信強度解析部１４から放送受信平均値及び放送受信最大値をＯＳＤ生成部１５に渡し（このラインは図示せず）、ＯＳＤ生成部１５が放送受信平均値及び放送受信最大値を含む画像（例えば図８の放送受信状態の情報８２のような画像）を生成して、合成部１６経由でＯＳＯ画像の映像データとしてＨＤＭＩトランスミッタ１７で送信させればよい。
【００９６】
このように送信され、実際に無線通信により受け取った「放送受信平均値及び放送受信最大値を含む画像」を、ユーザ等は最小値等と併せて見ながら、受信機３（及び送信機２）の設置位置を調整することができる。このときモニター４の合成部４７での合成により、「放送受信平均値及び放送受信最大値を含む画像」の値が記載されている部分に受信状態確認画像６０が重ならないように位置を調整しておくと、結果的に図８の受信状態確認画像８０と同等の内容を閲覧しながら、且つ一部の画像が無線通信によりのみ品質が変わる画像であることを考慮しながら、設置位置の調整を行うことができる。
【００９７】
以上、本発明の表示システムの各例について説明したが、表示システムにおける表示手順を説明したように、表示システムにおける表示方法としての形態も採用できる。本発明に係る表示方法は、図１の構成例で説明すると、送信機２からマルチキャリア通信により送信された無線信号を受信する受信機３と、受信機３に有線で接続されたモニター４とを備えた表示システムにおける表示方法である。ここで、無線信号は、送信機２により、非圧縮映像データをブロック分割して、ブロック単位でサブキャリアを割り当てて送信された信号とする。
【００９８】
そして、この表示方法は、その主たる特徴として、受信機３が、受信した無線信号をサブキャリア毎に復調する復調ステップと、受信機３が、復調ステップの復調結果からサブキャリア毎の受信強度を検出する受信強度検出ステップと、受信機３又はモニター４が、受信強度検出ステップで検出されたサブキャリア毎の受信強度から受信強度の最小値（又は最小値及び平均値）を算出する算出ステップと、モニター４が、最小値（又は最小値及び平均値）を含む受信状態確認画像をＯＳＤ表示するステップとを含むものとする。その他の応用については、表示システムとして説明したものと同様であり、その説明を省略する。上述した表示システムは、これらステップをモニター４の主制御部４５に実行させるためのプログラムを組み込んで実現することができ、換言するとこの表示方法もこのプログラムで実現することができる。このプログラムやそれに必要な情報は、可搬記録媒体、放送波、インターネット回線などにより流通させることができる。
【図面の簡単な説明】
【００９９】
【図１】本発明に係る表示システムの一構成例を示す概略図である。
【図２】図１の表示システムにおけるＳＴＢの主要部の構成例を示すブロック図である。
【図３】図１の表示システムにおける送信機の主要部の構成例を示すブロック図である。
【図４】図１の表示システムにおける受信機の主要部の構成例を示すブロック図である。
【図５】図１の表示システムにおけるモニターの主要部の構成例を示すブロック図である。
【図６】図５のモニターにおいて表示される受信状態確認画像の一例を示す図である。
【図７】図５のモニターにおいて表示される警告用のポップアップ画像の一例を示す図である。
【図８】図５のモニターにおいて表示される受信状態確認画像の他の例を示す図である。
【符号の説明】
【０１００】
１…ＳＴＢ、２…送信機、３…受信機、４…モニター、５…リモコン、１０ａ…イーサネット（登録商標）処理部、１０ｂ…ｉ．Ｌｉｎｋ（登録商標）処理部、１０ｃ…外部入力信号処理部、１０ｄ…放送信号処理部、１１…入力切換部、１２…映像信号生成部、１３，４５…主制御部、１４…受信強度解析部、１５，４６…ＯＳＤ生成部、１６，４７…合成部、１７，３４…ＨＤＭＩトランスミッタ、１８，２２，３７，４２…ＣＥＣ制御部、１９，３５…ＨＤＭＩ出力部、２０，４０…ＨＤＭＩ入力部、２１，４１…ＨＤＭＩレシーバ、２３…ＨＤＭＩ信号変換部、２４…データ分解部、２５，３９…デジタル変調部、２６，３８…アナログ変調部、２７，３１…デジタル復調部、２８，３０…アナログ復調部、３２…データ合成部、３３…ＨＤＭＩ信号復元部、３６…受信強度解析部、４３…映像処理部、４４…受光部、４８…表示制御部、４９…表示パネル、６０，８０…受信状態確認画像、７１…ポップアップ画像。
【図１】
2010098377.tif 000003
【図２】
2010098377.tif 000004
【図３】
2010098377.tif 000005
【図４】
2010098377.tif 000006
【図５】
2010098377.tif 000007
【図６】
2010098377.tif 000008
【図７】
2010098377.tif 000009
【図８】
2010098377.tif 000010